(57)【要約】【課題】鍋本体に係止可能な鍋蓋を提供する。【解決手段】鍋蓋外面の中心を起点として鍋蓋底面に垂直方向に伸びた垂直部分（５）と、前記垂直部分の末端から曲がり、鍋蓋周縁方向に向け、鍋蓋底面と平行方向に伸びる平行部分（６）を有する鍋蓋係止具（３）を備えた鍋蓋（２）であって、前記平行部分の前記鍋蓋外面と面する面内に切欠（７）を有し、前記切欠は、前記鍋蓋底面に平行な二面とその二面の片端を結ぶ一面を有し、かつ前記平行部分の末端側に開口を有し、前記切欠の前記平行部分内における位置は、前記鍋蓋を前記切欠により鍋本体（１）に係止した際に、前記鍋蓋が前記鍋蓋の中心線に対し線対称である２点（１１、１２）により前記鍋本体と接することが可能となる位置であることを特徴とする鍋蓋係止具を備えた鍋蓋。【選択図】図１
0003136014.tif 000002
【実用新案登録請求の範囲】
【請求項１】
鍋蓋外面の中心を起点として鍋蓋底面に垂直方向に伸びた垂直部分（５）と、前記垂直部分の末端から曲がり、鍋蓋周縁方向に向け、鍋蓋底面と平行方向に伸びる平行部分（６）を有する鍋蓋係止具（３）を備えた鍋蓋（２）であって、
前記平行部分の前記鍋蓋外面と面する面内に切欠（７）を有し、前記切欠は、前記鍋蓋底面に平行な二面とその二面の片端を結ぶ一面を有し、かつ前記平行部分の末端側に開口を有し、前記切欠の前記平行部分内における位置は、前記鍋蓋を前記切欠により鍋本体（１）に係止した際に、前記鍋蓋が前記鍋蓋の中心線に対し線対称である２点（１１、１２）により前記鍋本体と接することが可能となる位置であることを特徴とする鍋蓋係止具を備えた鍋蓋。
【請求項２】
止着部（１９）と屈曲部（１５）を有する鍋蓋係止具（１４）を備えた鍋蓋（２）であって、前記止着部を有する面に対し、前記屈曲部を有する面は角度を有し、
前記止着部により鍋蓋外面の中心において前記鍋蓋外面と鍋蓋のつまみ（１３）の間に、前記屈曲部を有する面が鍋蓋底面に平行な線より上方向に傾くように前記鍋蓋に取り付けられ、
前記屈曲部は、前記鍋蓋底面に平行な二面とその二面の片端を結ぶ一面を有し、かつ前記鍋蓋係止具の末端方向に開口を有し、前記屈曲部の前記鍋蓋係止具内における位置は、前記鍋蓋を前記屈曲部により鍋本体（１）に係止した際に、前記鍋蓋が前記鍋蓋の中心線に対し線対称である２点により前記鍋本体と接することが可能となる位置にあることを特徴とする鍋蓋係止具を備えた鍋蓋。
【考案の詳細な説明】
【技術分野】
【０００１】
本考案は、鍋本体に係止可能とした鍋蓋に関するものである。
【背景技術】
【０００２】
従来、鍋蓋は、調理又は盛り付けの際、鍋本体から外され、調理台やテーブルに置かれたり、場合によっては、手でもたれたりしていた。そのため、置かれた調理台等の上を広く占有し、また作業に不便が生じていた。
【０００３】
このような不便を解消するため、鍋本体に鍋蓋を係止する機構が提案されている。
【０００４】
特許文献１には、鍋本体の開口縁の内側又は外側に鍋蓋係止部を切欠成形し、鍋本体に鍋蓋を係止する機構を設けることが開示されている。また、さらに鍋蓋の周縁部に鍋本体の開口縁を挟持するための挟持部を二股状に設けることも開示されている。
【０００５】
鍋本体に係止するための手段を鍋蓋に備えることは、特許文献２及び特許文献３にも開示されている。特許文献２においては、鍋蓋本体の裏面中央の摘子取付部に止着した係止具の末端を鍋本体上縁部に係止することが記載されている。特許文献３においては、鍋蓋のつまみ部分に接続しているアーム状の支持部を鍋本体の外面に引っ掛けることが開示されている。
【特許文献１】実用新案登録３０２１３０４号公報
【特許文献２】特開平１０−３０９２３５号公報
【特許文献３】特開２００４−８９６３４号公報
【考案の開示】
【考案が解決しようとする課題】
【０００６】
しかしながら、鍋本体に切欠等を設けることは、鍋の製作に手数がかかる。
また、鍋蓋内面には、水滴がついており、鍋蓋を係止することにより、鍋蓋が水平でなくなると、水滴は鍋蓋の下方に流れる。従って、係止された鍋蓋の下端が、鍋本体の外側にあると、鍋蓋内面についた水滴は、鍋の周囲に流れ落ち、周囲汚すことがある。また、鍋蓋の下端が鍋内にある場合であっても、鍋蓋が鍋の底面に対し垂直でないと、水滴は鍋蓋下方に流れ、その場所に溜まってしまう。よって、鍋蓋を鍋に再び被せる際、溜まった水滴が、周囲に飛散し、汚すことがある。
さらに、鍋蓋は、調理により熱くなっている場合があるので、安定して固定されることが必要である。
【０００７】
本考案は、鍋蓋を鍋本体から外したときに、鍋蓋を鍋本体に安定にかつ鍋蓋内面の水滴が周囲に飛散しないように係止する手段を提供し、省スペース化を図ることを目的とする。
【課題を解決するための手段】
【０００８】
本考案は、上述のような問題を解決するため、下記のようになるものである。
本考案の第一の態様においては（請求項１）、鍋蓋外面の中心を起点として鍋蓋底面に垂直方向に伸びた垂直部分５と、前記垂直部分の末端から曲がり、鍋蓋周縁方向に向け、鍋蓋底面と平行方向に伸びる平行部分６を有する鍋蓋係止具３を備えた鍋蓋２であって、前記平行部分の前記鍋蓋外面と面する面内に切欠７を有し、前記切欠は、前記鍋蓋底面に平行な二面とその二面の片端を結ぶ一面を有し、かつ前記平行部分の末端側に開口を有し、前記切欠の前記平行部分内における位置は、前記鍋蓋を前記切欠により鍋本体１に係止した際に、前記鍋蓋が前記鍋蓋の中心線に対し線対称である２点１１、１２により前記鍋本体と接することが可能となる位置であることを特徴とする鍋蓋係止具を備えた鍋蓋に係るものである。
【０００９】
本考案の第二の態様においては（請求項２）、止着部１９と屈曲部１５を有する鍋蓋係止具１４を備えた鍋蓋２であって、前記止着部を有する面に対し、前記屈曲部を有する面は角度を有し、前記止着部により鍋蓋外面の中心において前記鍋蓋外面と鍋蓋のつまみ１３の間に、前記屈曲部を有する面が鍋蓋底面に平行な線より上方向に傾くように前記鍋蓋に取り付けられ、前記屈曲部は、前記鍋蓋底面に平行な二面とその二面の片端を結ぶ一面を有し、かつ前記鍋蓋係止具の末端方向に開口を有し、前記屈曲部の前記鍋蓋係止具内における位置は、前記鍋蓋を前記屈曲部により鍋本体（１）に係止した際に、前記鍋蓋が前記鍋蓋の中心線に対し線対称である２点により前記鍋本体と接することが可能となる位置にあることを特徴とする鍋蓋係止具を備えた鍋蓋に係るものである。
【００１０】
ここで、「鍋蓋外面」とは、鍋蓋の外側の面をいう。「鍋蓋底面」とは、鍋蓋の底面をいう。一般には開口となっており、鍋蓋を鍋本体に被せたときに、鍋底面と平行な面である。「中心線」とは、鍋蓋の中心を通る鍋蓋底面の直径にあたる線である。
【考案の効果】
【００１１】
本考案は、上述のように構成され、鍋蓋を鍋本体から外した場合において、鍋蓋を鍋本体に係止することが可能なので、鍋蓋を周囲に置く必要がなく、省スペース化が図られる。
また、鍋蓋は鍋本体に鍋蓋係止具の切欠又は屈曲部により挟み止めされ、かつ切欠又は屈曲部と鍋本体の接点及び鍋蓋と鍋本体の二つの接点の三点により非常に安定に係止されるので、係止された鍋蓋が、鍋本体から簡単に外れることがなく、安全である。
さらに、鍋蓋は鍋本体の鍋底面に垂直に、鍋蓋の下端が鍋内にあるように鍋本体に係止されるので、鍋蓋裏面についている水滴は、係止された鍋蓋の内側下端に流れた後、鍋の外に流れ落ち又は飛散することなく、鍋内に流れ落ちるため、鍋の周囲を汚すことがなく、衛生的である。
またさらに、鍋蓋に容易に取り付けることができる。
【考案を実施するための最良の形態】
【００１２】
図面を参照して実施の形態の詳細を説明する。図は例示であり、これらに限定されない。また、切欠、屈曲部は、一般的な全体に対する大きさよりも拡大した比率で描かれている。
図１は、本考案の第一の態様の鍋蓋係止具３を備えた鍋蓋を用いた鍋の斜視図である。鍋蓋係止具３は、鍋蓋のつまみの役割も果たす。図１(ａ)は、鍋本体１に鍋蓋２をした図である。図１（ｂ）は、鍋蓋２が鍋本体１から外され、鍋本体１に係止されている状態の図である。
【００１３】
図１に示すように、鍋蓋係止具３は、鍋蓋外面の中心を起点として鍋蓋底面に垂直に伸びる垂直部分５と、前記垂直部分の末端から曲がり、鍋蓋周縁方向に向け、鍋蓋底面と平行方向に伸びる平行部分６を有する。そして、前記平行部分６の前記鍋蓋外面と面する面内に切欠７を有する。ここで、垂直部分５は、鍋蓋底面に厳密に垂直である必要はなく、鍋蓋底面に垂直な方向であれば、角度を有していてもよく、平行部分も鍋蓋底面と厳密に平行である必要はなく、鍋蓋底面に平行な方向であれば、角度を有していてもよい。
【００１４】
先ず、図１（ｂ）を参照して、鍋蓋が鍋本体に係止されている状態について説明する。鍋蓋係止具３の切欠７で鍋本体１の開口の縁又は周縁部を挟むことで、鍋蓋２を鍋本体１に係止する。鍋蓋２は、鍋蓋係止具３の切欠が鍋本体１の縁又は周縁部４を挟む点１０、鍋本体１と鍋蓋２が接する２点１１、１２の計３点によって支持される。よって非常に安定している。
【００１５】
鍋蓋係止具３の前記垂直部分５の大きさ及び形状は、鍋蓋２を片手で持ち上げるのに適するように任意に選ばれるが、鍋蓋係止具３の前記垂直部分５の高さは、鍋蓋外面と、鍋蓋係止具３の前記平行部分間の距離が、少なくても大人の手の指が横に１本余裕をもって入る距離となることを満たす高さであるが、それ以上の長さでもよい。また、前記平行部分の指を入れる部分の幅が、部分的に狭く作られている場合は、それ以下の長さでもよい。
【００１６】
鍋蓋係止具３の平行部分６の形状もまた、鍋蓋係止具３を片手で持つのに適した任意の形状である。平行部分６は、切欠７が鍋蓋底面に平行であるという条件を満たす限り、握りやすいように、例えばその末端において、幅が広がっていてもよい。その長さは、切欠７を設けることのできる長さであり、切欠７の位置と関連している。具体的には、鍋蓋２が鍋本体１に係止された際に、切欠７の鍋蓋係止具３の平行部分６における位置が、鍋蓋２の下端が鍋の内容物に触れない位置であり、かつ係止された鍋蓋２を片手で着脱可能なように、鍋蓋係止具３の垂直部分５と切欠７間の距離が、大人の手の人差し指から薬指好ましくはさらに小指までが入る程度距離となる位置であり、さらに鍋蓋２が鍋本体１に安定に係止されるために、鍋蓋２が鍋蓋の中心線に対して線対称な２点において鍋本体１と接することが可能な位置となるように設けることが可能であるという条件を満たす長さである。そして、鍋蓋２を係止したときに、鍋蓋係止具３の鍋本体の内に入る部分８は、切欠７の深さをその長さとし、一方鍋蓋係止具３の鍋本体の外に出る部分９は、切欠の深さを超えて延びている。鍋本体の外に出る部分９は、安定のため、鍋蓋が鍋本体に係止された際に、鍋蓋係止具３の末端が鍋の置かれている台に届く長さよりも短い。
【００１７】
鍋蓋係止具３は、通常鍋蓋のつまみに用いられる材料、例えば、耐熱性のある木材、プラスチック、ゴム、金属を用いて製造することができる。ただし、鍋蓋の重量に耐えうる材料である。
【００１８】
鍋蓋係止具３は、鍋蓋に、通常の鍋蓋のつまみを取り付けるのに用いられている様々な方法、例えばねじ等でとりつけることができる。よって、鍋蓋係止具３の前記垂直部分５の鍋蓋２と接する端から、ねじ穴が形成されているのが一般的である。ただし、鍋蓋２を鍋本体１に係止する際に、鍋蓋係止具３が破損することのない強固さを有する手段で取り付けられている必要がある。
【００１９】
切欠７の幅は、鍋の周縁部４又は鍋本体１の厚さより少し余裕のある程度である。それらの厚さより切欠７の幅が大きすぎると、切欠７と鍋本体１の間に隙間が生じ、安定した固定が得られなくなる。また、それらの厚さより狭いと、切欠７に鍋の周縁部４又は鍋本体を挟むことができず、鍋蓋２を鍋本体１に係止することができない。切欠７の深さは、切欠７が鍋蓋を支持可能な程度に鍋本体１をしっかり挟むことが可能な深さである。かつ、鍋蓋を係止したときに、鍋蓋係止具３の鍋本体の内に入る部分８が、鍋の内容物に届かない深さである。周縁部４を有する鍋の場合は、深さは周縁部４の幅であると、支持がより安定になり好ましく、さらに周縁部が段となっている鍋においては、鍋蓋２を係止したときに、鍋蓋係止具３の鍋本体の内に入る部分８の先端面が段の上に載り、面として支持されるため、一層安定となる。切欠の形状は、鍋蓋底面に平行な二面とその二面の片端を結ぶ一面を有し、前記平行部分の末端側に開口を有する。従って、鍋蓋２を鍋本体１に係止した状態の時に、鍋蓋底面に平行な二面は、鍋底面に垂直となるので、鍋蓋２が鍋底面に対し、垂直になる。好ましくは、鍋蓋底面に平行な二面のうち鍋蓋係止具３の鍋本体の外に出る部分９内に存する面、すなわち鍋蓋外面に遠い側の面は、前記開口付近で鍋蓋外面方向に傾斜し、突き出す様になっている。その突き出した部分が、鍋本体１の側面に接し、鍋蓋２がより安定して固定され、外れにくくなる。
【００２０】
切欠７は１箇所であるのが通常であるが、場合によっては、２又は複数設けることもできる。複数設けた場合は、様々な大きさの鍋に対応でき、また内容物の量によって切欠７を使い分けることができる。
【００２１】
図２は、本考案の第二の態様の鍋蓋係止具１４を備えた鍋蓋を用いた鍋の斜視図である。鍋蓋のつまみ１３と鍋蓋外面の間に鍋蓋係止具１４が取り付けられている。図２(ａ)は、鍋本体１に鍋蓋２をした図である。図２（ｂ）は、鍋蓋２が鍋本体１から外され、鍋本体１に係止されている状態の図である。
【００２２】
図３に示すように、鍋蓋係止具１４は、鍋蓋外面と鍋蓋のつまみ１３の間に止着するための止着部１９と鍋本体に鍋蓋を係止するための屈曲部１５を有する。止着部１９と屈曲部１５は、対する端側に設けられる。屈曲部１５を有する面は、止着部１９を有する面に対し、角度を有する。
【００２３】
先ず、図２（ｂ）を参照して、鍋蓋２が鍋本体１に係止されている状態について説明する。鍋蓋２は、屈曲部１５が鍋本体の縁又は周縁部を挟むことで、鍋本体１に係止される。鍋蓋２は、鍋蓋係止具１４の屈曲部１５が鍋本体の縁又は周縁部を挟む点１６、鍋本体と鍋蓋が接する２点１７，１８の計３点によって支持される。よって非常に安定している。
【００２４】
鍋蓋係止具１４の長さは、屈曲部１５を設けることのできる長さであり、屈曲部１５の位置と関連している。具体的には、鍋蓋２が鍋本体１に係止された際に、鍋蓋係止具１４における屈曲部１５の位置が、鍋蓋２の下端が鍋の内容物に触れない位置であり、さらに鍋蓋２が鍋蓋の中心線に対して線対象な２点１７、１８において鍋本体１と接することが可能な位置となるように設けることが可能であるという条件を満たす長さである。屈曲部１５の位置によっては、それ以上の長さでもよいが、安定のため、鍋蓋２が鍋本体１に係止された際に鍋蓋係止具１４の末端が鍋の置かれている台に届く長さよりも短い。
【００２５】
鍋蓋係止具１４の屈曲部１５を有する面の幅は、鍋蓋係止具１４が、鍋蓋２を支持可能な幅であり、鍋蓋係止具の材質によっても異なる。
【００２６】
鍋蓋係止具１４は、屈曲部１５を有する面が、止着部１９を有する面に対し角度を有するため、鍋本体１に鍋蓋２をした際に、鍋蓋係止具１４が、鍋蓋２及び鍋本体１に触れることのないように、その末端部に向け鍋蓋底面の平行線より上方向に傾いている。しかし、その角度は僅かであり、好ましくは３０度以下である。傾斜角度が大きいと、取り扱いの妨げになる。
【００２７】
鍋蓋係止具１４の屈曲部１５の形状は、幅が、鍋の周縁部１４又は鍋本体の厚さより少し余裕のある程度である。それらの厚さより屈曲部１５の幅が大きすぎると、屈曲部１５と鍋本体１の間に隙間が生じ、安定した固定が得られなくなる。また、それらの厚さより狭いと、屈曲部１５に鍋の周縁部４又は鍋本体１を挟むことができず、鍋蓋２を鍋本体１に係止することができない。屈曲部１５の深さは、屈曲部１５が鍋蓋２を支持可能な程度に鍋本体１をしっかり挟むことが可能な深さである。周縁部４を有する鍋の場合は、周縁部４の幅を屈曲部１５の深さとすると支持がより安定になり好ましく、さらに周縁部が段となっている鍋においては、鍋蓋２を係止したときに、屈曲部１５の止着部１９側の端が段の上に載り、支持されるため、一層安定となる。屈曲部１５の形状は、鍋蓋底面に平行な二面とその二面の片端を結ぶ一面であり、鍋蓋用係止具１４の末端側は、開口している。従って、鍋蓋２を鍋本体１に係止した時に、鍋蓋底面に平行な方向の二面は、鍋底面に垂直となるので、鍋蓋２が鍋底面に対し、垂直になる。前記平行な二面のうち、鍋蓋用係止具１４の末端に近い側の面は、開口付近が鍋蓋側に傾斜し、突き出すようであってもよい。その突き出した部分が、鍋本体１の側面に接し、鍋蓋２がより安定して固定され、外れにくくなる。
【００２８】
屈曲部１５は１箇所であるのが通常であるが、場合によっては、２又は複数設けることもできる。複数設けた場合は、様々な大きさの鍋に対応でき、また内容物の量によって屈曲部１５を使い分けることができる。
【００２９】
鍋蓋係止具１４は、止着部１９によって、鍋蓋のつまみ１３に取り付けられる。止着部は、鍋蓋係止具の一端に、ねじが通過できる大きさの円形の切り抜き２０又は溝を設けたものである。取り付け方は、市販の鍋の鍋蓋のつまみ１３を一度外し、鍋蓋外面側から鍋蓋係止具１４を、前記切り抜き２０又は溝を鍋蓋のつまみ１３の止め具を通過させる穴に重ねて載せ、その外側に鍋蓋のつまみ１３を載せ、鍋蓋２の内側からねじを入れ、鍋蓋外面に鍋蓋係止具１４と鍋蓋のつまみ１３をとりつける。前記溝は複数設けることも可能であり、そのようにすると、様々な大きさの鍋の鍋蓋係止具１４として用いることができる。
【００３０】
鍋蓋係止具１４の材料は金属である。好ましくはステンレスである。
【００３１】
本発明の安定性を確認するために試験を行なった。鍋本体に鍋蓋を鍋蓋係止具３により係止したものを、二本の止め木の間に置く。具体的には、一本の止め木と鍋本体が接するようにし、もう一方の止め木と鍋本体の間は間隔を開けて置き、その間隔を振幅とする。鍋本体を二本の止め木間を往復させるように１回につき１０秒間揺振し、係止した鍋蓋が外れるまでの揺振回数を測定した。結果を表１に示す。
【００３２】
【表１】
0003136014.tif 000003
【００３３】
鍋蓋は、表に表された揺振回数を超えると、鍋本体内部側に倒れた。
結果より、本発明の鍋蓋係止具３により鍋本体に係止された鍋蓋は、調理台上若しくは食卓上それぞれにおける、例えば盛り付けの際等の通常想定される揺振では、容易に鍋本体から外れない程度の優れた安定性を有することがわかる。一方、鍋蓋を鍋本体に係止したまま、調理台から食卓に運ぶような大きな揺振を与えると、鍋蓋は鍋本体から外れるおそれがあることがわかる。
【図面の簡単な説明】
【００３４】
【図１】本発明の第一の態様の鍋蓋係止具を備えた鍋蓋を使用した鍋の斜視図である。
【図２】本発明の第二の態様の鍋蓋係止具を備えた鍋蓋を使用した鍋の斜視図である。
【図３】本発明の第二の態様の鍋蓋係止具を表した図である。
【符号の説明】
【００３５】
１  鍋本体
２  鍋蓋
３  鍋蓋係止具
４  周縁部
５  垂直部分
６  平行部分
７  切欠
８  鍋本体の内に入る部分
９  鍋本体の外に出る部分
１０  鍋蓋係止具が鍋本体の縁又は周縁部を挟む点
１１、１２  鍋蓋と鍋本体の接点
１３  鍋蓋のつまみ
１４  鍋蓋係止具
１５  屈曲部
１６  鍋蓋係止具が鍋本体の縁又は周縁部を挟む点
１７、１８  鍋蓋と鍋本体の接点
１９    止着部
２０    切り抜き
【図１】
0003136014.tif 000004
【図２】
0003136014.tif 000005
【図３】
0003136014.tif 000006